(57)【要約】【課題】積層された３個以上の部品の組み立て容易化を図る。【解決手段】前側部品１５の突起２５およびリブ２６が中間部品１６の嵌合孔２８に嵌め込まれて、前側部品１５と中間部品１６とが互いに回転しないように位置合わせされる一方、中間部品１６から裏側に突出した前側部品１５の突起２５およびリブ２６が裏側部品１７の嵌合凹部３１に嵌め込まれて、前側部品１５と中間部品１６および裏側部品１７が互いに回転しないように位置合わせされた後に、裏側部品１７の裏側から止ねじ１８が裏側部品１７の貫通孔３２から前側部品１５の突起２５の下孔２７の内周面に食い込むように突起２５に締結されることによって、前側部品１５と中間部品１６および裏側部品１７が積層されて１本の止ねじ１８で１つのまとまりとして組み立てられる。【選択図】　　　　図１
2004024535.tif 000002
【特許請求の範囲】
【請求項１】
前側部品の裏面に筒状の突起を設けるとともに突起の周面にリブを突起の延長方向と平行する方向に直線的に設け、中間部品に突起およびリブに対する嵌合孔を形成し、裏側部品の前面に突起およびリブに対する嵌合凹部と嵌合凹部で囲まれた内側に貫通孔を形成し、前側部品の突起およびリブに中間部品の嵌合孔および裏側部品の嵌合凹部を嵌め込んだ後に、裏側部品の裏側から止ねじを裏側部品の貫通孔から前側部品の突起に締結して、前側部品と中間部品および裏側部品を積層して１つのまとまりとして組み立てたことを特徴とする遊技部品。
【請求項２】
リブを１つにしたことを特徴とする請求項１記載の遊技部品。
【請求項３】
リブを複数とし、複数のリブを突起の周方向に非等分に配置したことを特徴とする請求項１記載の遊技部品。
【請求項４】
リブを複数とし、複数のリブのうちの１つのリブの突起からの突出量を他のリブの突起からの突出量と異ならせたことを特徴とする請求項１記載の遊技部品。
【請求項５】
前側部品の裏面に角筒状の突起を設け、中間部品に突起に対する嵌合孔を形成し、裏側部品の前面に突起に対する嵌合凹部と嵌合凹部で囲まれた内側に貫通孔を形成し、前側部品の突起に中間部品の嵌合孔および裏側部品の嵌合凹部を嵌め込んだ後に、裏側部品の裏側から止ねじを裏側部品の貫通孔から前側部品の突起に締結して、前側部品と中間部品および裏側部品を積層して１つのまとまりとして組み立てたことを特徴とする遊技部品。
【発明の詳細な説明】
【０００１】
【発明の属する技術分野】
本発明はパチンコ機のような遊技機に用いられる装飾性を重視した前側部品と中間部品および裏側部品からなる遊技部品に関する。
【０００２】
【従来の技術】
図５は従来のパチンコ機のような遊技機に用いられる装飾性を重視した遊技部品の例としてセンター飾り５１を示し、センター飾り５１は裏側に設けられる液晶表示器のような図柄表示器の画像が前側から見えるように合成樹脂からなる透視性を有するパネル５２で被覆された中央の開口部５３と、開口部５３の上部に装飾性を重視した笠部品５４とを備える。笠部品５４は図６にも示すように前面飾りと呼ばれるような前側部品５５、周辺飾りと呼ばれるような中間部品５６、ベース飾りと呼ばれるような裏側部品５７から構成されている。
【０００３】
【発明が解決しようとする課題】
しかしながら、前記笠部品５４は裏側部品５７の上に中間部品５６を重ね合わせ、中間部品５６の上に前側部品５５を重ね合わせるというように、前側部品５５と中間部品５６および裏側部品５７を積層した後に、３本の止ねじ５８を裏側部品５７から中間部品５６を経由して前側部品５５に締結したことによって１つのまとまりとして組み立てられた構造になっている。このため、使用する止ねじ５８の本数が多くて組立工程が面倒であるばかりでなく、小さな外形の内部空間に３本の止ねじを締結するための突起が存在し、内部空間に光源を格納して前側部品５５や中間部品５６を照明表示する場合に光源の配置に制約が多いという問題点があった。
【０００４】
そこで、本発明は積層された３個以上の部品の組み立てを容易に行うことができる遊技部品を提供するものである。
【０００５】
【課題を解決するための手段】
本発明にあっては、前側部品の裏面に筒状の突起を設けるとともに突起の周面にリブを突起の延長方向と平行する方向に直線的に設け、中間部品に突起およびリブに対する嵌合孔を形成し、裏側部品の前面に突起およびリブに対する嵌合凹部と嵌合凹部で囲まれた内側に貫通孔を形成し、前側部品の突起およびリブに中間部品の嵌合孔および裏側部品の嵌合凹部を嵌め込んだ後に、裏側部品の裏側から止ねじを裏側部品の貫通孔から前側部品の突起に締結して、前側部品と中間部品および裏側部品を積層して１つのまとまりとして組み立てたことによって、使用する止ねじの本数が最小の１本と少なく、組立工程を簡単に行うことができるうえ、前側部品と中間部品とで囲まれた小形の内部空間に１つの突起およびリブが存在するだけであるので、前側部品と中間部品とで囲まれた小形の内部空間に光源を格納して前側部品を照明表示する場合に、光源の配置に制約が少ないという利点もある。また、本発明にあっては、リブを１つにすれば、リブと嵌合孔および嵌合凹部とが互いに嵌め合わされることによって、前側部品と中間部品および裏側部品それぞれの組み合わせ姿勢が適切となる。また、本発明にあっては、リブを複数とし、複数のリブを突起の周方向に非等分に配置すれば、リブと嵌合孔および嵌合凹部とが互いに嵌め合わされることによって、前側部品と中間部品および裏側部品それぞれの組み合わせ姿勢が適切となるととともに、リブが複数であることから筒状の突起の形状保持性能が高くなる。また、本発明にあっては、リブを複数とし、複数のリブのうちの１つのリブの突起からの突出量を他のリブの突起からの突出量と異ならせれば、突出量の大きなリブの支持強度が強くなり、筒状の突起の形状保持性能が一層高くなる。本発明にあっては、前側部品の裏面に角筒状の突起を設け、中間部品に突起に対する嵌合孔を形成し、裏側部品の前面に突起に対する嵌合凹部と嵌合凹部で囲まれた内側に貫通孔を形成し、前側部品の突起に中間部品の嵌合孔および裏側部品の嵌合凹部を嵌め込んだ後に、裏側部品の裏側から止ねじを裏側部品の貫通孔から前側部品の突起に締結して、前側部品と中間部品および裏側部品を積層して１つのまとまりとして組み立てたことによって、使用する止ねじの本数が最小の１本と少なく、組立工程を簡単に行うことができるうえ、前側部品と中間部品とで囲まれた小形の内部空間に１つの突起およびリブが存在するだけであるので、前側部品と中間部品とで囲まれた小形の内部空間に光源を格納して前側部品を照明表示する場合に、光源の配置に制約が少ないという利点に加え、前側部品の成形型における突起の成形空間が簡素な形状となり、経済的に有利である。
【０００６】
【発明の実施の形態】
図１から図４は一実施形態であって、図１は笠部品３を分解して示し、図２は笠部品３の縦断面を示し、図３はセンター飾り１を分解して示し、図４はセンター飾り１における笠部品３の周りの縦断面を示す。
【０００７】
図３を参照し、センター飾り１について説明する。センター飾り１は部品本体２と笠部品３および枠飾り４を備える。部品本体２はセンター飾り１の土台であって、透視性を有するパネル５で被覆された中央の開口部６の周囲がステップ７や枠部８で囲まれており、ステップ７や枠部８の開口部６よりも前側に突出した前縁にブラケット９を側方に突出する。
【０００８】
そして、図４にも示すように、ブラケット９の裏面よりも後側に突出した開口部６やステップ７および枠部８が遊技盤４１に形成された取付孔４２に遊技盤４１の前側から挿入され、ブラケット９の裏面が取付孔４２の周りにおける遊技盤４１の前面である意匠盤面に接触した状態において、図外の木ねじのような止ねじがブラケット９の前側からブラケット９に形成された貫通孔１０を経由して遊技盤４１に締結されることによって、部品本体２が遊技盤４１に取り付けられる。このように部品本体２が遊技盤４１に取り付けられた状態において、遊技盤４１の前面から部品本体２の枠部８を経由してステップ７に取り込まれた球はステップ７の上面で左右に揺れ動きながらステップ７の中央の溝１１に収束して溝１１から真下に落下する。
【０００９】
笠部品３は前面飾りと呼ばれるような前側部品１５、前側部品１５よりも外形の大きな周辺飾りと呼ばれるような中間部品１６、中間部品１６よりも外形の大きなベース飾りと呼ばれるような裏側部品１７が１本の止ねじ１８で１つのまとまりとして組み立てられる構造になっている。前側部品１５と中間部品１６および裏側部品１７からなる１つのまとまりとして組み立てられた笠部品３が部品本体２の開口部６よりも上方の縦壁１９に重ね合わされた後に、止ねじ２０が縦壁１９の裏側から縦壁１９に形成された貫通孔２１を経由して笠部品３の裏側部品１７に締結されることによって、笠部品３が部品本体２の縦壁１９に取り付けられる。
【００１０】
このように笠部品３が部品本体２に取り付けられた状態において、枠飾り４が縦壁１９の周囲を円弧状に縁取る縁取部２２に前側から重ね合わされた後に、止ねじ２３が縁取部２２の裏側から縁取部２２に形成された貫通孔２４を経由して枠飾り４に締結されることによって、枠飾り４が部品本体２の縁取部２２に取り付けられる。部品本体２に取り付けられた枠飾り４の内周部は縁取部２２から縦壁１９の方向に周り込んで笠部品３の裏側部品１７と部品本体２の縦壁１９との合わせ部分を目隠しするように笠部品３の裏側部品１７の外周部を被覆する。
【００１１】
図１にも示すように、笠部品３の前側部品１５は前側部品１５の裏面（中間部品１６と向き合う側の面）に筒状の突起２５を設けるとともに突起２５の周面にリブ２６を突起２５の延長方向と平行する方向に直線的に設ける。突起２５は前側部品１５の裏面から突出方向に先端に行くにしたがって外形が徐々に細くなる形態であって、突起２５の先端面から内部に止ねじ１８を締結するための下孔２７を有する。中間部品１６は突起２５およびリブ２６に対する嵌合孔２８を備える。嵌合孔２８は突起２５を挿入する孔部２９とリブ２６を挿入する孔部３０とを備えた異形になっている。裏側部品１７は裏側部品１７の前面（中間部品１６と向き合う側の面）に突起２５およびリブ２６に対する嵌合凹部３１と嵌合凹部３１で囲まれた内側に貫通孔３２を備える。嵌合凹部３１は突起２５を挿入する凹部３３とリブ２６を挿入する凹部３４とを備えた異形になっているとともに裏側部品１７の前面から突出した周壁３５で囲まれた形態である。
【００１２】
そして、図２にも示すように、前側部品１５の突起２５およびリブ２６が中間部品１６の嵌合孔２８および裏側部品１７の嵌合凹部３１に嵌め込まれた後に、裏側部品１７の裏側から止ねじ１８が裏側部品１７の貫通孔３２から前側部品１５の突起２５の下孔２７の内周面に食い込むように突起２５に締結されることによって、裏側部品１７の上に中間部品１６を重ね合わせ、中間部品１６の上に前側部品１５を重ね合わせるというように、前側部品１５と中間部品１６および裏側部品１７が積層されて１本の止ねじ１８で１つのまとまりとして組み立てられる。
【００１３】
本実施形態の構造によれば、前側部品１５の突起２５およびリブ２６が中間部品１６の嵌合孔２８に嵌め込まれることによって、前側部品１５と中間部品１６とが互いに回転しないように位置合わせされる。そして、中間部品１６から裏側に突出した前側部品１５の突起２５およびリブ２６が裏側部品１７の嵌合凹部３１に嵌め込まれることによって、前側部品１５と中間部品１６および裏側部品１７が互いに回転しないように位置合わせされる。その状態において、裏側部品１７の裏側から止ねじ１８が裏側部品１７の貫通孔３２から前側部品１５の突起２５の下孔２７の内周面に食い込むように突起２５に締結されることによって、前側部品１５と中間部品１６および裏側部品１７が積層されて１本の止ねじ１８で１つのまとまりとして組み立てられる。このため、使用する止ねじ１８の本数が最小の１本と少なく、組立工程が簡単となる。
【００１４】
しかも、前側部品１５の裏面から延設されたリブ２６が下孔２７を有する筒状の突起２５の外周面に連接しているので、突起２５の形状保持性能が向上し、突起２５による中間部品１６および裏側部品１７の支持強度が高くなる。また、前側部品１５と中間部品１６とで囲まれた小形の内部空間に突起２５およびリブ２６が存在するだけであるので、前側部品１５と中間部品１６とで囲まれた小形の内部空間に光源を格納して前側部品１５を照明表示する場合に、光源の配置に制約が少ないという利点もある。また、嵌合凹部３１が裏側部品１７の前面から突出した周壁３５で囲まれた形態であるので、嵌合凹部３１を裏側部品１７の前面から内部に窪むように形成した場合に比べ、嵌合凹部３１における貫通孔３２周りが薄肉とならず、裏側部品１７による止ねじ１８の支持強度が高くなる。
【００１５】
図１に符号Ａで示す１つのリブ２６における突起２５の外周面からの径方向外側への突出量が他のリブ２６の突出量よりも大きいというように、複数のリブ２６のうちの１つのリブ２６の突起からの突出量を他のリブ２６の突起からの突出量と異ならせたので、符号Ａで示す突出量の大きなリブ２６の支持強度が強くなり、突起２５の形状保持性能を一層高くすることができる。また、符号Ａで示す１つのリブ２６における突起２５の外周面からの径方向外側への突出量が他のリブ２６の突出量よりも大きいので、リブ２６を含む突起２５と嵌合孔２８および嵌合凹部３１とを互いに嵌め合わせる場合に、１つの嵌め合わせ形態しかとることができないので、前側部品１５と中間部品１６および裏側部品１７とを互いに嵌め合わせることによって、前側部品１５と中間部品１６および裏側部品１７との組み合わせ間違いを防止することができる。
【００１６】
図１に仮想線で示すように、複数のリブ２６の幅を太くし、互いに隣接するリブ２６どうしを連接することによって、突起２５を角筒状に形成すれば、前側部品１５の成形型におけるリブ２６を含む突起２５の成形空間が簡素な形状となり、経済的に有利である。この場合、下孔２７は図示のように丸孔であるが、中間部品１６における嵌合孔２８および裏側部品１７における嵌合凹部３１を角筒状の突起２５と嵌め合わせられる整合形状に形成し、角筒状の突起２５と嵌合孔２８および嵌合凹部３１とが嵌め合わせられて整合することによって、前側部品１５と中間部品１６および裏側部品１７が互いに回転しないように位置合わせされる。
【００１７】
前記実施形態では中間部品１６を前側部品１５よりも大きな外形に形成したが、中間部品１６を前側部品１５よりも小さな外形に形成し、当該小さい中間部品１６を前側部品１５の内部に格納する形態であっても同様に適用することができるが、この場合、中間部品１６の嵌合孔２８の内部に図１に示すリブ２６の前側部品側と先端部側との中間に形成した段差Ｂで押さえられる壁を形成すれば、中間部品１６を前後方向にがたつくことなく支持することができる。
【図面の簡単な説明】
【図１】一実施形態の笠部品を示す分解斜視図。
【図２】同実施形態の笠部品を示す縦断面図。
【図３】同実施形態のセンター飾りを示す分解斜視図。
【図４】同実施形態のセンター飾りの笠部品周りを示す縦断面図。
【図５】従来のセンター飾りを示す正面図。
【図６】従来のセンター飾りを示す側面図。
【符号の説明】
１５　前側部品
１６　中間部品
１７　裏側部品
１８　止ねじ
２５　突起
２６　リブ
２８　嵌合孔
３１　嵌合凹部
３２　貫通孔
【図１】
2004024535.tif 000003
【図２】
2004024535.tif 000004
【図３】
2004024535.tif 000005
【図４】
2004024535.tif 000006
【図５】
2004024535.tif 000007
【図６】
2004024535.tif 000008